(57)【特許請求の範囲】
【請求項１】
ボルト用緩み止め剤の塗布に供するボルト支持装置であって、支持装置本体部と、この支持装置本体部に着脱可能に組み込まれるボルト支持体部とを備え、
前記ボルト支持体部に開設された複数の挿通孔内にはボルトが回動可能に挿通され、
前記各挿通孔内に挿通された前記複数のボルトの頭部を支承した状態で往復移動機構により往復移動する移動体を前記支持装置本体部に設けた
ことを特徴とするボルト支持装置。
【請求項２】
前記支持装置本体部の基台の傾斜面上に前記ボルト支持体部を上方から組み込んだ状態で、前記前記支持装置本体が前記複数のボルトの頭部を支承できるように、前記ボルト支持体部の下部を前方へ押しやる押圧部材を前記支持装置本体部に設けたことを特徴とする請求項１に記載のボルト支持装置。
【請求項３】
前記往復移動機構による移動体の往復移動動作をタイマにより所定時間毎に切替えることを特徴とする請求項１又は請求項２に記載のボルト支持装置。
【発明の詳細な説明】
【技術分野】
【０００１】
本発明は、ボルト用緩み止め剤の塗布に供するボルト支持装置に関するものである。詳述すれば、ボルトにボルト用緩み止め剤を塗布するに際して、複数のボルトを支持するボルト支持装置であって、ボルト用緩み止め剤の塗布に供するボルト支持装置に関する。
【背景技術】
【０００２】
ボルト用ゆるみ止め剤の塗布装置が提案され、自動化が図られている（特許文献１参照）。
【先行技術文献】
【特許文献】
【０００３】
【特許文献１】実開平７−３９９６１号公報
【発明の概要】
【発明が解決しようとする課題】
【０００４】
しかしながら、ボルトにボルト用緩み止め剤を塗布するに際して、塗布までも含めて自動化された提案であり、構造が複雑で効果な塗布装置であって、塗布までは至らない構造が簡単で安価なボルト用緩み止め剤の塗布に供するボルト支持装置が求められている。
【０００５】
そこで本発明は、塗布までは至らない構造が簡単で安価なボルト用緩み止め剤の塗布に供するボルト支持装置を提供することを目的とする。
【課題を解決するための手段】
【０００６】
このため第１の発明は、ボルト用緩み止め剤の塗布に供するボルト支持装置であって、支持装置本体部と、この支持装置本体部に着脱可能に組み込まれるボルト支持体部とを備え、
前記ボルト支持体部に開設された複数の挿通孔内にはボルトが回動可能に挿通され、
前記各挿通孔内に挿通された前記複数のボルトの頭部を支承した状態で往復移動機構により往復移動する移動体を前記支持装置本体部に設けた
ことを特徴とする。
【０００７】
また第２の発明は、第１の発明において、前記支持装置本体部の基台の傾斜面上に前記ボルト支持体部を上方から組み込んだ状態で、前記前記支持装置本体が前記複数のボルトの頭部を支承できるように、前記ボルト支持体部の下部を前方へ押しやる押圧部材を前記支持装置本体部に設けたことを特徴とする。
【０００８】
更に第３の発明は、第１又は第２の発明において、前記往復移動機構による移動体の往復移動動作をタイマにより所定時間毎に切替えることを特徴とする。
【発明の効果】
【０００９】
本発明によれば、塗布までは至らない構造が簡単で安価なボルト用緩み止め剤の塗布に供するボルト支持装置を提供することができる。
【図面の簡単な説明】
【００１０】
【図１】エアシリンダのロッドが伸張した状態のボルト支持装置の斜視図である。
【図２】エアシリンダのロッドが収縮した状態のボルト支持装置の斜視図である。図である。
【図３】図１のＸ−Ｘ断面図である。
【発明を実施するための形態】
【００１１】
以下、本発明の実施形態について、図１乃至図３に基づいて説明する。先ず、１はボルト支持装置で、ボルト用緩み止め剤の塗布に供する。このボルト支持装置１は、大きく分けて支持装置本体部Ａと、この支持装置本体部Ａに着脱可能に組み込まれるボルト支持体部Ｂとから構成される。
【００１２】
初めに、支持装置本体部Ａについて説明する。図３に示すように、２は縦断面が概ねクランク状を呈する基台で、作業台３に載置されるか固定されるが、この作業台３に下面が接する平面部２Ａと、この平面部２Ａに連なる垂直面部２Ｂと、この垂直面部２Ｂに連なると共に下端部が作業台３に接する傾斜面部２Ｃとを備えている。
【００１３】
そして、前記基台２の左右の端部にはそれぞれ案内支持部材４Ａ、４Ｂが設けられて、連結部材４Ｃにより連結されている。この左右の案内支持部材４Ａ、４Ｂの上面にはそれぞれ案内溝５が左右方向に沿って開設されて、各片７Ａ、７Ｂの下面に形成された各突部６が僅か隙間を存して各案内溝５に嵌合して、平面視コ字形状の左右移動体７の対向する各片７Ａ、７Ｂの各突部６がこの案内溝５に沿って摺動することにより左右移動体７は左右方向に移動可能である。
【００１４】
なお、各片７Ａ、７Ｂは左端部において連結部材７Ｃにより連結されている。また、左右移動体７の各片７Ａ、７Ｂの下面に各突部６を形成すると共に案内支持部材４Ａ、４Ｂに前記各突部６がそれぞれ嵌合する案内溝５を形成するようにしたが、種々の変形例が考えられる。例えば、左右移動体７の各片７Ａ、７Ｂの下面に各案内溝を形成すると共に案内支持部材４Ａ、４Ｂの上面に前記各案内溝に嵌合する各突部を形成するようにしてもよい。
【００１５】
一方の前記左右移動体７の片７Ａ上には、前記支持装置本体部Ａにボルト支持体部Ｂが組み込まれると複数のボルト１０の頭部１０Ａを支承して、これらの頭部１０Ａが転がりながら左右方向に移動可能に載置される緩衝体１１が固定されている。
【００１６】
次に、前記ボルト支持体部Ｂについて説明すると、このボルト支持体部Ｂは複数のボルト１０が複数並設するように開設された挿通孔１２Ｃにそれぞれ挿通されて、これらのボルト１０を回動可能に支持する一対の支持板１２Ａ、１２Ｂが連結部材１３により連結され、一体化されて構成される。
【００１７】
そして、支持装置本体部Ａにボルト支持体部Ｂを上方から組み込むと、具体的には、前後の前記左右移動体７の片７Ａと７Ｂとの間において、上方から前記ボルト支持体部Ｂを配設するように、作業者が前記連結部材１３に固定された杷手１４を掴みながら基台２の傾斜面部２Ｃ上方に前記ボルト支持体部Ｂが位置するように組み込むと、支持板１２Ａ、１２Ｂの挿通孔１２Ｃに挿通された各ボルト１０は傾斜面部２Ｃと平行となると共に前記緩衝体１１上にその頭部１０Ａが支承される状態となる。
【００１８】
即ち、前述したように、基台２の傾斜面部２Ｃ上方に前記ボルト支持体部Ｂが位置するように組み込むと、この傾斜面部２Ｃ上にその下端部が固定された縦断面がくの字形状の押圧部材２１が支持板１２Ａの裏面（奥側側面）の下部を前方へ押圧するように構成する。これにより、前記複数のボルト１０の手前部が左右移動体７の一方の片７Ｂ上面に接しないように浮かせる状態として、ボルト１０の頭部１０Ａを他方の片７Ａ上に固定された緩衝体１１に接触させるようにして、ボルト１０の頭部１０Ａを支承する。このため、支持装置本体部Ａにボルト支持体部Ｂが組み込まれると、確実に複数のボルト１０の頭部１０Ａが転がりながら左右方向に移動可能な状態となる。
【００１９】
なお、左右移動体７の右端部には、取付板１５を介して基台２に取り付けられた往復駆動機構Ｃのエアシリンダ１６のロッド１７と第１連結部材１８とを介して、第２連結部材１９が連結されている。従って、前記エアシリンダ１６が作動してロッド１７が伸張するとロッド１７、第１連結部材１８、第２連結部材１９を介して左右移動体７が右方へ移動し（図１参照）、また逆に前記エアシリンダ１６が作動してロッド１７が短縮するとロッド１７、第１連結部材１８、第２連結部材１９を介して左右移動体７が左方へ移動し（図２参照）、結果として左右移動体７が左右に往復移動する。
【００２０】
具体的には、タイマにより切替え電磁弁を所定時間毎に切替え制御することにより、エア供給源又はエア吸引源にエアシリンダ１６を連通させ、前記エアシリンダ１６のロッド１７を伸張又は短縮して、所定時間毎に左右移動体７を左右に往復移動させる。
【００２１】
従って、前記エアシリンダ１６が作動してロッド１７が伸張すると、ロッド１７、第１連結部材１８、第２連結部材１９を介して左右移動体７が右方へ移動し、案内支持部材４Ａ、４Ｂの案内溝５に沿って左右移動体７の片７Ａ、７Ｂ下面の突部６摺動しながら左右移動体７は右方向に移動する。そして、前記タイマが所定時間を計時すると、前記エアシリンダ１６が作動してロッド１７が収縮すると、ロッド１７、第１連結部材１８、第２連結部材１９を介して左右移動体７が左方へ移動し、案内支持部材４Ａ、４Ｂの案内溝５に沿って左右移動体７の片７Ａ、７Ｂ下面の突部６摺動しながら左右移動体７は左方向に移動する。
【００２２】
この場合、左右移動体７の左右方向への移動に伴い、各ボルト１０の頭部１０Ａが転がることとなって、各ボルト１０は正転方向又は逆転方向に回動することとなる。従って、作業者は、ブラシや刷毛に付けたボルト用緩み止め剤を軸部に満遍なく、均等に塗布することができる。
【００２３】
そして、この塗布を終えると、前記エアシリンダ１６を停止させてもよいが、停止させない状態で、作業者は前記杷手１４を掴みながら前記ボルト支持体部Ｂを支持装置本体部Ａから取り外す。更に、この取出したボルト支持体部Ｂからボルト用緩み止め剤が塗布された各ボルト１０を抜く。
【００２４】
次に、ボルト用緩み止め剤を塗布する別な複数のボルト１０を支持板１２Ａ、１２Ｂの挿通孔１２Ｃに挿通して、支持装置本体部Ａにボルト支持体部Ｂを組み込む。即ち、前後の前記左右移動体７の片７Ａと７Ｂとの間において、上方から前記ボルト支持体部Ｂを配設するように、作業者が前記杷手１４を掴みながら基台２の傾斜面部２Ｃ上方に前記ボルト支持体部Ｂが位置するように組み込むと、押圧部材２１が支持板１２Ａの裏面（奥側側面）の下部を前方へ押圧するようにして、支持板１２Ａ、１２Ｂの挿通孔１２Ｃに挿通された各ボルト１０は傾斜面部２Ｃと平行となると共に前記緩衝体１１上にその頭部１０Ａが支承される状態となる。
【００２５】
従って、左右移動体７の左右方向への移動に伴い、各ボルト１０の頭部１０Ａが転がることとなって、各ボルト１０は正転方向又は逆転方向に回動することとなり、前述したように、作業者はボルト用緩み止め剤を各ボルト１０の軸部に満遍なく、均等に塗布することができる。
【００２６】
なお、本発明に係る技術は、長さの異なるボルトに対しても適用でき、またボルトに限らず、その他のネジなどにも適用することができる。
【００２７】
以上のように本発明は、構造が簡単で安価なボルト用緩み止め剤の塗布に供するボルト支持装置を提供することができる。
【００２８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２９】
１              ボルト支持装置
Ａ              支持装置本体部
Ｂ              ボルト支持体部
Ｃ              往復駆動機構
４Ａ、4Ｂ      案内支持部材
７              左右移動体
１０            ボルト
１０Ａ          頭部
１２Ｃ          挿通孔
１２Ａ、１２Ｂ  支持板
１６            エアシリンダ
２１            押圧部材
【図１】
0005628692.tif 000002
【図２】
0005628692.tif 000003
【図３】
0005628692.tif 000004